(57)【要約】【課題】  色調バランスを確保しながら電気光学装置の輝度の調整を行う。【解決手段】  基準電圧生成回路は、Ｒの画素回路のデータ線に与える基準電圧Ｒを設定する基準電圧Ｒ生成部と、Ｇの画素回路のデータ線に与える基準電圧Ｇを設定する基準電圧Ｇ生成部と、Ｂの画素回路のデータ線に与える基準電圧Ｂを設定する基準電圧Ｂ生成部と、を有し、記憶回路に、最小階調時にデータ線に与える第１電圧と、最大階調かつ最大輝度で表示した状態で最適なホワイトバランスとなるように設定されたＲＧＢ各々の前記データ線に与える電圧Ｒ、Ｇ、Ｂを記憶し、制御回路は、表示輝度の変更に際し、「第１電圧と基準電圧Ｒの差」と「第１電圧と基準電圧Ｇの差」と「第１電圧と基準電圧Ｂの差」との比率が、「第１電圧と電圧Ｒの差」と「第１電圧と電圧Ｇの差」と「第１電圧と電圧Ｂの差」との比率と等しくなるように、基準電圧Ｒと基準電圧Ｇと基準電圧Ｂを設定する。【選択図】      図１
2007011101.tif 000002
【特許請求の範囲】
【請求項１】
複数の走査線と、複数のデータ線と、前記複数の走査線と前記複数のデータ線との各々の交差に電気光学素子を有する複数の画素回路と、前記走査線に走査信号を出力することにより、所定の前記走査線を選択する走査線駆動回路と、外部供給される画像データに基づき、前記データ線を介して前記電気光学素子に階調信号を出力するデータ線駆動回路と、前記走査線駆動回路と前記データ線駆動回路に対し駆動信号を出力する駆動信号生成回路と、最大階調時に前記画素回路の前記データ線に与える基準電圧を供給する基準電圧生成回路と、出荷時の各種設定値を記憶する記憶回路と、表示輝度の変更を制御する制御回路と、を少なくとも備えた電気光学装置であって、
前記基準電圧生成回路は、赤色（Ｒ）、緑色（Ｇ）及び青色（Ｂ）の各色表示用の前記画素回路に対応する前記データ線に各々供給される基準電圧ＶＲ、ＶＧ及びＶＢをそれぞれ生成する基準電圧ＶＲ生成部、基準電圧ＶＧ生成部及び基準電圧ＶＢ生成部を有し、
前記記憶回路は、前記電気光学装置を最小階調で表示した場合の前記データ線に与えられる電圧である第１電圧と、前記電気光学装置を最大階調かつ最大輝度で表示した場合に最適なホワイトバランスとなるように設定され、Ｒ、Ｇ及びＢの各色表示用の前記画素回路に対応する前記データ線に与えられる電圧である最適電圧ＶＲ０、ＶＧ０及びＶＢ０を記憶し、
前記制御回路は、表示輝度の変更に際し、前記第１電圧と前記基準電圧ＶＲ、ＶＧ及びＶＢとの三つの差間の比率が、前記第１電圧と前記最適電圧ＶＲ０、ＶＧ０及びＶＢ０との三つの差間の比率と等しくなるように、前記基準電圧ＶＲ、ＶＧ及びＶＢを設定し、前記基準電圧ＶＲ生成部、前記基準電圧ＶＧ生成部及び前記基準電圧ＶＢ生成部に各々出力する、
ことを特徴とする電気光学装置。
【請求項２】
請求項１に記載の電気光学装置において、前記基準電圧ＶＲ生成部、前記基準電圧ＶＧ生成部及び前記基準電圧ＶＢ生成部は、前記制御回路が設定した前記基準電圧ＶＲ、ＶＧ及びＶＢの電圧値を各々記憶するレジスタと、前記レジスタに記憶された前記電圧値をアナログ信号に変換するＤ／Ａ変換回路と、を各々有する、
ことを特徴とする電気光学装置。
【請求項３】
請求項１または２に記載の電気光学装置において、前記電気光学装置は、画像補正テーブル（ＬＵＴ）を有し、前記画像補正テーブル（ＬＵＴ）により前記画像データを補正する、
ことを特徴とする電気光学装置。
【請求項４】
請求項１から３のいずれか一項に記載の電気光学装置において、前記基準電圧ＶＲ生成部、前記基準電圧ＶＧ生成部及び前記基準電圧ＶＢ生成部は、各々乗算器を有し、前記制御回路からの指示に基づき、前記基準電圧ＶＲ、ＶＧ及びＶＢの電圧値を再計算する、
ことを特徴とする電気光学装置。
【請求項５】
請求項１から４のいずれか一項に記載の電気光学装置において、前記最適電圧ＶＲ０、ＶＧ０及びＶＢ０は、前記電気光学装置を最大階調かつ最大輝度で表示した場合にホワイトバランスを保つために許容される範囲で設定される、
ことを特徴とする電気光学装置。
【請求項６】
請求項１または５に記載の電気光学装置において、前記電気光学素子は有機発光ダイオード素子である、
ことを特徴とする電気光学装置。
【請求項７】
請求項１から６のいずれか一項に記載の電気光学装置を備えた電子機器。
【発明の詳細な説明】
【技術分野】
【０００１】
本発明は、ＯＬＥＤ（Organic Light Emitting Diode）素子などの電気光学素子を備えた電気光学装置および電子機器に関し、特に、電気光学装置の輝度を調整する技術に関する。
【背景技術】
【０００２】
電気光学素子を利用して画像を表示する電気光学装置が各種の電子機器の表示装置として広く普及している。この種の電気光学装置においては、色調バランスを確保しながら輝度の調整ができることが重要な課題となる。
【０００３】
この問題を解決するために、例えば特許文献１には、半減期を有するカラー表示装置と、この表示装置の発光時間を計測する発光時間計測手段と、この発光時間計測手段で計測された発光時間の累計が予め定めた一定時間に達したとき、表示装置の輝度を調節する輝度調整手段とを備え、輝度調節手段を、表示装置を構成する光の３原色を発光する各発光素子の発光輝度を予め定めた比率になるように調節可能とした。この構成により、発光時間の累計が予め定めた一定時間に達したとき、表示装置を構成する光の３原色を発光する各発光素子の発光輝度を予め定めた比率になるように調節するため、全体としての輝度は低下するが、寿命は延び、色調も元に戻って充分な自然な色合いを得ることができることになる。
【０００４】
【特許文献１】特開２００３−１９５８１７号公報（段落００１０）
【発明の開示】
【発明が解決しようとする課題】
【０００５】
しかしながら、特許文献１では、表示装置の使用時間が一定時間に達した時点で予め定めた比率になるように輝度調整を行うものであり、リアルタイムに輝度を調整できるようには構成されていない。
【０００６】
本発明は、このような事情に鑑みてなされたものであり、電気光学装置の色調バランスを確保しながら発光輝度の制御ができる電気光学装置および電子機器を提供することを目的とする。
【課題を解決するための手段】
【０００７】
上記課題を解決するために、本発明の電気光学装置では、複数の走査線と、複数のデータ線と、前記複数の走査線と前記複数のデータ線との各々の交差に電気光学素子を有する複数の画素回路と、前記走査線に走査信号を出力することにより、所定の前記走査線を選択する走査線駆動回路と、外部供給される画像データに基づき、前記データ線を介して前記電気光学素子に階調信号を出力するデータ線駆動回路と、前記走査線駆動回路と前記データ線駆動回路に対し駆動信号を出力する駆動信号生成回路と、最大階調時に前記画素回路の前記データ線に与える基準電圧を供給する基準電圧生成回路と、出荷時の各種設定値を記憶する記憶回路と、表示輝度の変更を制御する制御回路と、を少なくとも備えた電気光学装置であって、前記基準電圧生成回路は、赤色（Ｒ）、緑色（Ｇ）及び青色（Ｂ）の各色表示用の前記画素回路に対応する前記データ線に各々供給される基準電圧ＶＲ、ＶＧ及びＶＢをそれぞれ生成する基準電圧ＶＲ生成部、基準電圧ＶＧ生成部及び基準電圧ＶＢ生成部を有し、前記記憶回路は、前記電気光学装置を最小階調で表示した場合の前記データ線に与えられる電圧である第１電圧と、前記電気光学装置を最大階調かつ最大輝度で表示した場合に最適なホワイトバランスとなるように設定され、Ｒ、Ｇ及びＢの各色表示用の前記画素回路に対応する前記データ線に与えられる電圧である最適電圧ＶＲ０、ＶＧ０及びＶＢ０を記憶し、前記制御回路は、表示輝度の変更に際し、前記第１電圧と前記基準電圧ＶＲ、ＶＧ及びＶＢとの三つの差間の比率が、前記第１電圧と前記最適電圧ＶＲ０、ＶＧ０及びＶＢ０との三つの差間の比率と等しくなるように、前記基準電圧ＶＲ、ＶＧ及びＶＢを設定し、前記基準電圧ＶＲ生成部、前記基準電圧ＶＧ生成部及び前記基準電圧ＶＢ生成部に各々出力する、ことを要旨とする。
【０００８】
この構成によれば、電気光学装置の出荷時に最大階調かつ最大輝度で表示した状態で最適なホワイトバランスとなるようにＲＧＢ各色の画素回路に与える電圧値を設定し、記憶回路にＲＧＢ各々の電圧値を記憶させておき、輝度を変更する際、制御回路はこの電圧バランスを保つようにＲＧＢ各々の基準電圧値を設定するので、輝度が変更されても最適なホワイトバランスを保つことができる。
【０００９】
また、本発明の電気光学装置では、前記基準電圧ＶＲ生成部、前記基準電圧ＶＧ生成部及び前記基準電圧ＶＢ生成部は、前記制御回路が設定した前記基準電圧ＶＲ、ＶＧ及びＶＢの電圧値を各々記憶するレジスタと、前記レジスタに記憶された前記電圧値をアナログ信号に変換するＤ／Ａ変換回路と、を各々有する。
【００１０】
この構成によれば、基準電圧Ｒ生成部と基準電圧Ｇ生成部と基準電圧Ｂ生成部の各々のレジスタに現在の基準電圧Ｒと基準電圧Ｇと基準電圧Ｂの電圧値が記憶されるので、制御回路は、記憶回路に記憶したＲＧＢ各色の電圧値と、各々のレジスタに記憶した現在の基準電圧値と、から輝度変更後の基準電圧値を算出することが可能となり、輝度が変更されても最適なホワイトバランスを保つことができる。
【００１１】
また、本発明の電気光学装置では、前記電気光学装置は、画像補正テーブル（ＬＵＴ）を有し、前記画像補正テーブル（ＬＵＴ）により前記画像データを補正する。
【００１２】
また、本発明の電気光学装置では、前記基準電圧ＶＲ生成部、前記基準電圧ＶＧ生成部及び前記基準電圧ＶＢ生成部は、各々乗算器を有し、前記制御回路からの指示に基づき、前記基準電圧ＶＲ、ＶＧ及びＶＢの電圧値を再計算する。
【００１３】
また、本発明の電気光学装置では、前記最適電圧ＶＲ０、ＶＧ０及びＶＢ０は、前記電気光学装置を最大階調かつ最大輝度で表示した場合にホワイトバランスを保つために許容される範囲で設定される。
【００１４】
また、本発明の電気光学装置では、前記電気光学素子は有機発光ダイオード素子である。
【００１５】
次に、本発明に係る電子機器は、上述した電気光学装置を備え、例えば、パーソナルコンピュータ、携帯電話機、および携帯情報端末等が該当する。
【発明を実施するための最良の形態】
【００１６】
以下、本発明を具体化した実施形態について図面に従って説明する。
（第１実施形態）
【００１７】
＜電気光学装置の構成＞
図１は、本発明の第１実施形態に係る電気光学装置の構成を示すブロック図である。同図に示されるように、電気光学装置１は、電気光学パネル１０と駆動信号生成回路２００と走査線駆動回路３００とデータ線駆動回路４００と基準電圧生成回路５００と制御回路であるコントローラ６００と記憶回路であるＥＥＰＲＯＭ６１０とを備える。
【００１８】
電気光学パネル１０には画素領域１００が形成されている。この画素領域１００には、Ｘ方向（行方向）に延在するｍ本の走査線１２０が形成されている（ｍは自然数）。また、画素領域１００には、Ｘ方向と直交するＹ方向（列方向）に延在するｎ本のデータ線１２１が形成されている（ｎは自然数）。そして、走査線１２０とデータ線１２１との各交差に対応して画素回路１１０が配置されている。したがって、これらの画素回路１１０は、画素領域１００内においてＸ方向およびＹ方向にわたってマトリクス状に配列されている。また、各画素回路１１０には、赤色（Ｒ）、緑色（Ｇ）および青色（Ｂ）の電気光学素子の何れかが割り当てられている。
【００１９】
走査線駆動回路３００は、ｍ本の走査線１２０の各々を順次に選択し、水平走査期間ごとに順番に走査信号Ｙ１、Ｙ２、…、Ｙｍを各走査線１２０に対して出力する。なお、後述するように、走査線１２０は、Ｖｔｈ補償線１２２とデータ書込み線１２３とプリチャージ線１２４と発光制御線１２５とを含んでいる。
【００２０】
一方、データ線駆動回路４００は、走査線駆動回路３００が選択した走査線１２０に接続された各画素回路１１０に対してデータ信号Ｘ１、Ｘ２、…、Ｘｎを供給する。データ信号Ｘｊ（ｊは１≦ｊ≦ｎを満たす整数）は電圧振幅により第ｊ列目の画素回路１１０の輝度（階調）を指定する。
【００２１】
駆動信号生成回路２００は、図示しない外部機器から、クロック信号ＣＬＫと垂直同期信号ＶＳＹＮＣと水平同期信号ＨＳＹＮＣと映像データ信号ＤＡＴＡを受け取り、電気光学装置１の動作を制御する。これらの信号を受け、駆動信号生成回路２００は、データ線駆動回路４００に対し、映像データ信号ＤＡＴＡから赤色（Ｒ）の映像データのみを取り出した赤色信号ＲＤＡＴＡと、映像データ信号ＤＡＴＡから緑色（Ｇ）の映像データのみを取り出した緑色信号ＧＤＡＴＡと、映像データ信号ＤＡＴＡから青色（Ｂ）の映像データのみを取り出した青色信号ＢＤＡＴＡと、データ線駆動回路用（以下、Ｘ）クロック信号ＸＣＫと、Ｘスタートパルス信号ＸＳＰを出力する。さらに、駆動信号生成回路２００は、走査線駆動回路３００に対し、発光制御信号ＧＥＬと、データ書込み信号ＧＷＲＴと、Ｖｔｈ補償信号ＧＩＮＩＴと、走査線駆動回路用（以下、Ｙ）クロック信号ＹＣＫと、Ｙスタートパルス信号ＹＳＰを出力する。なお、走査線駆動回路３００やデータ線駆動回路４００や駆動信号生成回路２００は、例えばＣＯＧ（Chip On Glass）技術によって電気光学パネル１０に実装されていてもよいし、この電気光学パネル１０の外部（例えば電気光学パネル１０に実装された配線基板上）に実装されていてもよい。
【００２２】
基準電圧生成回路５００は、赤色（Ｒ）表示用の画素回路１１０の基準電圧ＶＲを生成する基準電圧ＶＲ生成部である基準電圧Ｒ生成部５１０と、緑色（Ｇ）表示用の画素回路１１０の基準電圧ＶＧを生成する基準電圧ＶＧ生成部である基準電圧Ｇ生成部５２０と、青色（Ｂ）表示用の画素回路１１０の基準電圧ＶＢを生成する基準電圧ＶＢ生成部である基準電圧Ｂ生成部５３０と、から構成されている。
【００２３】
次に、図２を参照して基準電圧生成回路５００のさらに詳細な構成を説明する。図２に示すように、基準電圧Ｒ生成部５１０は、赤色（Ｒ）表示用の画素回路１１０の基準電圧値Ｒｄを記憶するレジスタ５１１と、基準電圧値Ｒｄから基準電圧ＶＲを生成するＤ／Ａ変換回路５１２を有する。また、基準電圧Ｇ生成部５２０は、緑色（Ｇ）表示用の画素回路１１０の基準電圧値Ｇｄを記憶するレジスタ５２１と、基準電圧値Ｇｄから基準電圧ＶＧを生成するＤ／Ａ変換回路５２２を有する。さらに、基準電圧Ｂ生成部５３０は、青色（Ｂ）表示用の画素回路１１０の基準電圧値Ｂｄを記憶するレジスタ５３１と、基準電圧値Ｂｄから基準電圧ＶＢを生成するＤ／Ａ変換回路５３２を有する。
【００２４】
基準電圧ＶＲは、電圧供給線５１４を介しデータ線駆動回路４００に供給され、赤色（Ｒ）表示用の画素回路１１０の基準電圧として使われる。また、基準電圧ＶＧは、電圧供給線５２４を介しデータ線駆動回路４００に供給され、緑色（Ｇ）表示用の画素回路１１０の基準電圧として使われる。さらに、基準電圧ＶＢは、電圧供給線５３４を介しデータ線駆動回路４００に供給され、青色（Ｂ）表示用の画素回路１１０の基準電圧として使われる。
【００２５】
ＥＥＰＲＯＭ６１０には、電気光学装置１を製造後、最大階調かつ最大輝度で電気光学パネル１０を表示させ、最適なホワイトバランスを得られるように調整された赤色（Ｒ）、緑色（Ｇ）および青色（Ｂ）の各画素回路１１０のデータ線１２１に印加される電圧値（電圧Ｒ０、電圧Ｇ０、電圧Ｂ０）と、最小階調で電気光学パネル１０を表示させた場合のデータ線１２１に印加される電圧値（第１電圧Ｍ０）を、出荷時に記憶させておく。
【００２６】
コントローラ６００は、図示しない外部機器のインターフェースから、輝度を調整する輝度調整信号ＣＴＲＬを受け取り、ＥＥＰＲＯＭ６１０に記憶してある電圧Ｒ０、電圧Ｇ０、電圧Ｂ０、第１電圧Ｍ０の各電圧値と、レジスタ５１１、５２１、５３１の各々に記憶してある現在の基準電圧値Ｒｄ、基準電圧値Ｇｄ、基準電圧値Ｂｄに基づき、輝度調整後の基準電圧値Ｒｄ、基準電圧値Ｇｄ、基準電圧値Ｂｄを算出し、レジスタ５１１、５２１、５３１の値を更新する。
【００２７】
＜画素回路の構成＞
次に、図３および図４を参照して画素回路１１０の構成と動作を説明する。図３は、画素回路１１０の構成を示す回路図であり、図４は、画素回路１１０の動作を説明するタイミングチャートである。図３においては、第ｉ行目（ｉは１からｍの整数）に属する第ｊ列目（ｊは１からｎの整数）のひとつの画素回路１１０のみが図示されており、その他の画素回路１１０の構成も同様である。本実施形態における画素回路１１０は、データ信号Ｘｊの電圧振幅に応じてＯＬＥＤ素子１１７の輝度（階調）を制御する閾値補償可能な電圧駆動型（いわゆる電圧プログラミング方式）の回路である。走査線１２０は、Ｖｔｈ補償線１２２とデータ書込み線１２３とプリチャージ線１２４と発光制御線１２５とから構成され、第ｉ行目には各々、Ｖｔｈ補償信号ＧＩＮＩＴｉと、データ書込み信号ＧＷＲＴｉと、プリチャージ信号ＰＲＣＧｉと、発光制御信号ＧＥＬｉが入力される。
【００２８】
図３に示されるように、画素回路１１０は、５個のＴＦＴ１１１〜１１５（例えば薄膜トランジスタ）と、コンデンサ１１６と、ＯＬＥＤ素子１１７とを有する。ＴＦＴ１１１の導電型は、ｐチャネル型であり、ＴＦＴ１１２ないし１１５の導電型は、ｎチャネル型である。
【００２９】
このうちＴＦＴ１１１のソース端子は、画素駆動用の電源の高位側電位（以下「電源電位」という。）ＶＥＬが供給される電源線に接続され、そのドレイン端子は、ノード１１８を介してＴＦＴ１１５のドレイン端子と接続され、ノード１１８には、さらに、ＴＦＴ１１２のドレイン端子と、ＴＦＴ１１４のドレイン端子が接続されている。また、ゲート端子は、ＴＦＴ１１２のソース端子と、コンデンサ１１６の一端に接続されている。コンデンサ１１６の他端は、ＴＦＴ１１３のドレイン端子に接続される。
【００３０】
ＴＦＴ１１４のソース端子は、データ線１２１に接続され、ゲート端子は、プリチャージ線１２４に接続され、プリチャージ信号ＰＲＣＧｉがＨレベルの時に、ノード１１８の電位をデータ線１２１の電位にプリチャージする。図４に示すように、プリチャージ信号ＰＲＣＧｉは、選択行（例えば第１行目）においてＹクロック信号ＹＣＫの立上りの時点（例えば時点ｔ１）で立上り、Ｙクロック信号ＹＣＫの立下りの時点（例えば時点ｔ２）で立下る。
【００３１】
ＴＦＴ１１２のゲート端子は、Ｖｔｈ補償線１２２に接続され、Ｖｔｈ補償信号ＧＩＮＩＴｉがＨレベルの時に、ＴＦＴ１１１のゲート端子とドレイン端子を導通状態にし、さらにコンデンサ１１６にチャージされる電位をノード１１８の電位にする。図４に示すように、Ｖｔｈ補償信号ＧＩＮＩＴｉは、選択行（例えば第１行目）においてＹクロック信号ＹＣＫの立上りの時点（例えば時点ｔ１）で立上り、Ｙクロック信号ＹＣＫの立下りの時点（例えば時点ｔ２）で立下る。
【００３２】
ＴＦＴ１１３のソース端子は、データ線１２１に接続され、ゲート端子は、データ書込み線１２３に接続され、データ書込み信号ＧＷＲＴｉがＨレベルの時に、データ線１２１の電位がコンデンサ１１６にチャージされる。コンデンサ１１６にデータ線１２１の電位がチャージされると、ｐチャネル型ＴＦＴ１１１のゲート端子にデータ線１２１の電位が印加され、電源電位ＶＥＬとＴＦＴ１１１の閾値電圧の和からデータ線１２１の電位を引いた電位がノード１１８に印加される。図４に示すように、データ書込み信号ＧＷＲＴｉは、選択行（例えば第１行目）においてＹクロック信号ＹＣＫの立下りの時点（例えば時点ｔ２）で立上り、Ｙクロック信号ＹＣＫの立上りの時点（例えば時点ｔ３）で立下る。
【００３３】
ＴＦＴ１１５のゲート端子は、発光制御線１２５に接続され、ソース端子は、ＯＬＥＤ素子１１７の陽極に接続される。ＯＬＥＤ素子１１７の陰極は電源の低位側電位（以下「接地電位」という。）ＶＣＴが供給される接地線に接続される。発光制御信号ＧＥＬｉがＨレベルの時に、ノード１１８の電位がＯＬＥＤ素子１１７の陽極に印加され、ＯＬＥＤ素子１１７が発光する。図４に示すように、発光制御信号ＧＥＬｉは、１垂直走査期間１Ｆ（例えば時点ｔ１からｔ４）の１水平走査期間１Ｈ（例えば時点ｔ１からｔ３）においてＬレベルとなり、それ以外の期間（例えば時点ｔ３からｔ４）はＨレベルとなる。発光制御信号ＧＥＬｉがＨレベルの期間は、コンデンサ１１６にチャージされた電位によりＯＬＥＤ素子１１７の発光が持続される。
【００３４】
なお、画素回路１１０として図３のような閾値補償が可能な電圧プログラム方式について説明したが、図５に示すような２個のＴＦＴ１１１、１１３とコンデンサ１１６とＯＬＥＤ素子１１７で構成される画素回路１１０にも適用できる。
【００３５】
＜基準電圧生成回路の動作＞
次に、図６ないし図８を参照してコントローラ６００と基準電圧生成回路５００の動作について説明する。
【００３６】
図６は、最大階調かつ最大輝度時のＲＧＢ各色の基準電圧の設定の一例を示すグラフである。図６のグラフにおいて、横軸は、映像データ信号ＤＡＴＡの階調値（００ｈ〜ＦＦｈ）であり、縦軸は、データ線１２１に印加される電圧値である。
【００３７】
ＴＦＴ１１１の導電型はｐチャネル型なので、ＯＬＥＤ素子１１７を発光させる電圧を生成するノード１１８の電位Ｖｏｌｅｄは、ＴＦＴ１１１のソース端子に印加される電源電位ＶＥＬとＴＦＴ１１１の閾値電圧Ｖｔｈの和からゲート端子に印加されるデータ線１２１の電位Ｖｄａｔａを差し引いた電位となる。すなわち、以下の（１）式となる。
Ｖｏｌｅｄ＝（ＶＥＬ＋Ｖｔｈ）−Ｖｄａｔａ  ・・・（１）
【００３８】
例えば、電源電位ＶＥＬ＝１１．５Ｖ、ＴＦＴ１１１の閾値電圧Ｖｔｈ＝−１．５Ｖとした場合、最小階調（００ｈ）の時にデータ線１２１に与える電圧である第１電圧Ｍ０＝１０Ｖとなる。また、最大階調（ＦＦｈ）かつ最大輝度で電気光学パネル１０を表示させた場合に、最適なホワイトバランスを得られるように調整された赤色（Ｒ）、緑色（Ｇ）および青色（Ｂ）の各画素回路１１０のデータ線１２１に印加される電圧値（電圧Ｒ０、電圧Ｇ０、電圧Ｂ０）が例えば各々、電圧Ｒ０＝２Ｖ、電圧Ｇ０＝５Ｖ、電圧Ｂ０＝４Ｖとなったとする。
【００３９】
ＥＥＰＲＯＭ６１０には、これらの値、第１電圧Ｍ０＝１０Ｖ、電圧Ｒ０＝２Ｖ、電圧Ｇ０＝５Ｖ、電圧Ｂ０＝４Ｖ、が出荷時に記憶される。この場合、「第１電圧Ｍ０と電圧Ｒ０の差」と「第１電圧Ｍ０と電圧Ｇ０の差」と「第１電圧Ｍ０と電圧Ｂ０の差」の比率は、以下の（２）式となる。
（Ｍ０−Ｒ０）：（Ｍ０−Ｇ０）：（Ｍ０−Ｂ０）＝８：５：６  ・・・（２）
【００４０】
次に、図７を参照して輝度を変更した場合のＲＧＢ各色の基準電圧の設定の方法を説明する。図７は、輝度を低くした時のＲＧＢ各色の基準電圧の設定を示すグラフである。
【００４１】
図７では、最大輝度に対し、輝度を半分にした場合の最大階調（ＦＦｈ）時の基準電圧値Ｒｄ、基準電圧値Ｇｄ、基準電圧値Ｂｄの設定値を示している。「第１電圧Ｍ０と基準電圧値Ｒｄの差」と「第１電圧Ｍ０と基準電圧値Ｇｄの差」と「第１電圧Ｍ０と基準電圧値Ｂｄの差」の比率は、（２）式の比率と等しくなるように設定する。すなわち、以下の（３）式となるように設定する。
（Ｍ０−Ｒｄ）：（Ｍ０−Ｇｄ）：（Ｍ０−Ｂｄ）＝８：５：６  ・・・（３）
【００４２】
この時、電圧Ｒ０＝２Ｖ、電圧Ｇ０＝５Ｖ、電圧Ｂ０＝４Ｖの中で最小の電圧である電圧Ｒ０を基準にし、赤色（Ｒ）用の画素回路１１０のデータ線１２１の電位Ｖｄａｔａが最大輝度時は、Ｖｄａｔａ＝Ｍ０−Ｒ０＝８Ｖなので、輝度を半分にする場合、Ｖｄａｔａ＝Ｍ０−Ｒｄ＝４Ｖなので、基準電圧値Ｒｄ＝６Ｖとなる。この値と（３）式から、基準電圧値Ｇｄ＝７．５Ｖ、基準電圧値Ｂｄ＝７Ｖを算出することができる。
【００４３】
次に、図８を参照してコントローラ６００と基準電圧生成回路５００の動作を説明する。図８は、コントローラ６００と基準電圧生成回路５００の動作を説明するフローチャートである。
【００４４】
先ず、ステップＳ１００では、コントローラ６００は、ＥＥＰＲＯＭ６１０から第１電圧Ｍ０と電圧Ｒ０と電圧Ｇ０と電圧Ｂ０の電圧値を取得する。
【００４５】
次に、ステップＳ１１０では、Ｍ０−Ｒ０、Ｍ０−Ｇ０、Ｍ０−Ｂ０のうち最大値をＭｍａｘとして記憶する。
【００４６】
次に、ステップＳ１２０では、コントローラ６００は、外部機器から輝度調整信号ＣＴＲＬによる輝度変更の指示があるか否かを判定し、指示があった場合は、ステップＳ１３０に移行し、指示が無い場合は、輝度調整信号ＣＴＲＬの監視を続ける。
【００４７】
次に、ステップＳ１３０では、コントローラ６００は、レジスタ５１１から基準電圧値Ｒｄを、レジスタ５２１から基準電圧値Ｇｄを、レジスタ５３１から基準電圧値Ｂｄを取得する。
【００４８】
次に、ステップＳ１４０では、Ｍ０−Ｒｄ、Ｍ０−Ｇｄ、Ｍ０−Ｂｄのうち最大値をＭｎｏｗとして記憶する。
【００４９】
次に、ステップＳ１５０では、輝度調整信号ＣＴＲＬの指示が１輝度Ｕｐであるか否か（１輝度Ｄｏｗｎ）を判定し、１輝度Ｕｐである場合は、ステップＳ１６０に移行し、そうでない場合（１輝度Ｄｏｗｎ）は、ステップＳ１７０に移行する。
【００５０】
次に、ステップＳ１６０では、以下の（４）ないし（６）式により、基準電圧値Ｒｄ、基準電圧値Ｇｄ、基準電圧値Ｂｄを算出し、ステップＳ１８０に移行する。ただし、現在の輝度が最大輝度の場合は、スキップする。
Ｒｄ＝Ｍ０−（Ｍｎｏｗ＋１）×（Ｍ０−Ｒ０）／Ｍｍａｘ  ・・・（４）
Ｇｄ＝Ｍ０−（Ｍｎｏｗ＋１）×（Ｍ０−Ｇ０）／Ｍｍａｘ  ・・・（５）
Ｂｄ＝Ｍ０−（Ｍｎｏｗ＋１）×（Ｍ０−Ｂ０）／Ｍｍａｘ  ・・・（６）
【００５１】
一方、ステップＳ１７０では、以下の（７）ないし（９）式により、基準電圧値Ｒｄ、基準電圧値Ｇｄ、基準電圧値Ｂｄを算出し、ステップＳ１８０に移行する。ただし、現在の輝度が最小輝度の場合は、スキップする。
Ｒｄ＝Ｍ０−（Ｍｎｏｗ−１）×（Ｍ０−Ｒ０）／Ｍｍａｘ  ・・・（７）
Ｇｄ＝Ｍ０−（Ｍｎｏｗ−１）×（Ｍ０−Ｇ０）／Ｍｍａｘ  ・・・（８）
Ｂｄ＝Ｍ０−（Ｍｎｏｗ−１）×（Ｍ０−Ｂ０）／Ｍｍａｘ  ・・・（９）
【００５２】
次に、ステップＳ１８０では、算出された基準電圧値Ｒｄ、基準電圧値Ｇｄ、基準電圧値Ｂｄを各々、レジスタ５１１、レジスタ５２１、レジスタ５３１に記憶（更新）し、各々のＤ／Ａ変換回路５１２、５２２、５３２は、基準電圧値Ｒｄ、基準電圧値Ｇｄ、基準電圧値Ｂｄを、基準電圧ＶＲ、基準電圧ＶＧ、基準電圧ＶＢに変換し、データ線駆動回路４００に供給し、ステップＳ１２０に移行する。
【００５３】
以上に述べた前記実施形態によれば、以下の効果が得られる。
【００５４】
本実施形態では、電気光学装置１の出荷時に最大階調かつ最大輝度で表示した状態で最適なホワイトバランスとなるようにＲＧＢ各色の画素回路１１０のデータ線１２１に与える電圧値を設定し、ＥＥＰＲＯＭ６１０にＲＧＢ各々の電圧値を記憶させておき、輝度を変更する際、コントローラ６００は、この電圧バランスを保つようにＲＧＢ各々の基準電圧値を設定するので、輝度が変更されても最適なホワイトバランスを保つことができる。
【００５５】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００５６】
（変形例１）本発明に係る電気光学装置１の第１変形例について説明する。前記第１実施形態では、コントローラ６００が基準電圧値を算出するように説明したが、基準電圧Ｒ生成部５１０、基準電圧Ｇ生成部５２０、基準電圧Ｂ生成部５３０の各々に乗算器を設け、コントローラ６００は、輝度調整信号ＣＴＲＬの輝度変更の指示情報をこれらの乗算器に送り、レジスタ５１１、５２１、５３１の各々の基準電圧値Ｒｄ、基準電圧値Ｇｄ、基準電圧値Ｂｄを再計算するようにしてもよい。
【００５７】
＜電子機器＞
次に、上述した実施形態及び変形例に係る電気光学装置１を適用した電子機器について説明する。図９に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はＯＬＥＤ素子１１７を用いるので、視野角が広く見易い画面を表示できる。
【００５８】
図１０に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００５９】
図１１に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００６０】
なお、電気光学装置１が適用される電子機器としては、図９〜図１１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。また、直接画像や文字などを表示する電子機器の表示部に限られず、被感光体に光を照射することにより間接的に画像もしくは文字を形成するために用いられる印刷機器の光源として適用してもよい。
【図面の簡単な説明】
【００６１】
【図１】本発明の第１実施形態に係る電気光学装置１の概略構成を示すブロック図。
【図２】基準電圧生成回路５００の構成を示すブロック図。
【図３】画素回路１１０の回路図。
【図４】画素回路１１０の動作を説明するタイミングチャート。
【図５】画素回路１１０の別の回路図。
【図６】最大階調かつ最大輝度時のＲＧＢ各色の基準電圧の設定を示すグラフ。
【図７】輝度を低くした時のＲＧＢ各色の基準電圧の設定を示すグラフ。
【図８】コントローラ６００と基準電圧生成回路５００の動作を説明するフローチャート。
【図９】同電気光学装置１を用いたパーソナルコンピュータを示す斜視図。
【図１０】同電気光学装置１を用いた携帯電話を示す斜視図。
【図１１】同電気光学装置１を用いた携帯情報端末を示す斜視図。
【符号の説明】
【００６２】
１…電気光学装置、１０…電気光学パネル、１００…画素領域、１１０…画素回路、１１１…ｐチャネル型ＴＦＴ、１１２〜１１５…ｎチャネル型ＴＦＴ、１１６…容量素子、１１７…ＯＬＥＤ素子、１２０…走査線、１２１…データ線、１２２…Ｖｔｈ補償線、１２３…データ書込み線、１２４…プリチャージ線、１２５…発光制御線、２００…駆動信号生成回路、３００…走査線駆動回路、４００…データ線駆動回路、５００…基準電圧生成回路、５１０…基準電圧Ｒ生成部、５２０…基準電圧Ｇ生成部、５３０…基準電圧Ｂ生成部、６００…コントローラ、６１０…ＥＥＰＲＯＭ、２０００…パーソナルコンピュータ、２００１…電源スイッチ、２００２…キーボード、２０１０…本体部、３０００…携帯電話機、３００１…操作ボタン、３００２…スクロールボタン、４０００…情報携帯端末、４００１…操作ボタン、４００２…電源スイッチ。
【図１】
2007011101.tif 000003
【図２】
2007011101.tif 000004
【図３】
2007011101.tif 000005
【図４】
2007011101.tif 000006
【図５】
2007011101.tif 000007
【図６】
2007011101.tif 000008
【図７】
2007011101.tif 000009
【図８】
2007011101.tif 000010
【図９】
2007011101.tif 000011
【図１０】
2007011101.tif 000012
【図１１】
2007011101.tif 000013